(57)【特許請求の範囲】
【請求項１】
口部と肩部と胴部と底部を有した合成樹脂製のボトルであって、
前記肩部の周方向には、前記口部に向けて山形に湾曲した湾曲部分を前記ボトルの中心軸方向に複数有すると共に一つの前記湾曲部分と他の前記湾曲部分の間に前記胴部に向いた角部を有する稜線が設けられ、
前記稜線によって、前記肩部の周囲に段差部又は溝部が形成されており、
前記ボトルは、前記中心軸に垂直な横断面の外形が円形状であることを特徴とするボトル。
【請求項２】
前記底部は、減圧吸収機能を有する可動底壁部を有することを特徴とする請求項１記載のボトル。
【請求項３】
前記湾曲部分は、前記中心軸周りに周期的に形成されており、
複数の前記稜線は、同じ周期の前記湾曲部分を有することを特徴とする請求項１又は２記載のボトル。
【発明の詳細な説明】
【技術分野】
【０００１】
本発明は、ボトルに関するものである。
【背景技術】
【０００２】
液体収容物の容器は、瓶からの置き換えとして合成樹脂製ボトル、特にＰＥＴボトルの需要が多くなっている。瓶とは異なり、合成樹脂製ボトルは、熱間充填することによって密封後に起きる減圧に対して、減圧吸収をすることでボトル形状を保持することが必要になる。
【０００３】
減圧吸収をするためのボトル構成としては、ボトルの胴部や底部に減圧吸収パネルを設けることが知られている。
【０００４】
下記特許文献１に記載された従来技術は、ボトル底部の底壁部には、外周縁部に位置する接地部と、接地部に連なる立ち上がり周壁部と、立ち上がり周壁部から内側に形成される可動壁部と、可動壁部から上方に向けて延びる内周壁部を設け、ボトル内減圧時に、可動壁部が内周壁部を上方に向けて移動させることで減圧吸収を行い、ボトルの肩部には、全周に亘って補強溝を設けて、ボトル内減圧時に肩部がボトルの内側に凹むのを抑止している。
【先行技術文献】
【特許文献】
【０００５】
【特許文献１】特開２０１２−９１８２９号公報
【発明の概要】
【発明が解決しようとする課題】
【０００６】
前述した従来技術は、ボトル内減圧時に、肩部がボトルの内側に凹むのを抑止する補強溝を肩部全周に亘って設けているが、この補強溝によってボトルに加わる縦荷重に対しては、座屈変形し易い構造になっている。ＰＥＴボトルなどの合成樹脂製ボトルは、軽量化が進んでおり、肉厚が薄くなることで縦横方向からの負荷に対して変形し易くなっている。特に、ボトルは積み重ねて搬送することが多く、縦荷重に対して座屈変形に耐える構造が求められている。
【０００７】
また、前述した従来技術のように、肩部全周に亘って補強溝を設けたものでは、口部を下に向けて液体収容物を口部から吐出する際に、補強溝によって形成される内側に向けた突起に液体収容物が溜まり、残液量が増加してしまう問題が生じる。
【０００８】
本発明は、このような問題に対処することを課題の一例とするものである。すなわち、縦荷重に対しての座屈変形を抑制し、また、残液量の増加を抑止したボトルを提供することが本発明の目的である。
【課題を解決するための手段】
【０００９】
このような目的を達成するために、本発明によるボトルは、以下の構成を具備するものである。
口部と肩部と胴部と底部を有した合成樹脂製のボトルであって、前記肩部の周方向には、前記口部に向けて山形に湾曲した湾曲部分を前記ボトルの中心軸方向に複数有すると共に一つの前記湾曲部分と他の前記湾曲部分の間に前記胴部に向いた角部を有する稜線が設けられ、前記稜線によって、前記肩部の周囲に段差部又は溝部が形成されており、前記ボトルは、前記中心軸に垂直な横断面の外形が円形状であることを特徴とするボトル。
【発明の効果】
【００１０】
このような特徴を有する本発明のボトルは、肩部に、口部に向けて山形に湾曲した稜線を設けているので、稜線が縦荷重に対しての補強構造となり、縦荷重に対しての座屈変形を抑制することができる。また、湾曲した稜線によって、残液量の増加を抑止することができる。
【図面の簡単な説明】
【００１１】
【図１】本発明の実施形態に係るボトルの側面図である。
【図２】本発明の実施形態に係るボトルの平面図と底面図（（ａ）が平面図であり、（ｂ）が底面図）である。
【図３】図１におけるＸ−Ｘ断面図である。
【図４】本発明の他の実施形態に係るボトルの側面図である。
【図５】図４におけるＸ−Ｘ断面図である。
【発明を実施するための形態】
【００１２】
以下、図面を参照して本発明の実施形態を説明する。図１〜図３に示すように、本発明の実施形態に係るボトル１は、ＰＥＴなどの合成樹脂材料で一体に成形された有底の容器であり、口部１１、肩部１２、胴部１３、底部１４を備えている。図示の例では、ボトル１は、中心軸Ｏに対して軸対称な形状を有しており、中心軸Ｏに垂直な横断面の外形が円形状になっている。ボトル１は、例えば、射出成形された有底筒状のプリフォームをブロー成形して形成することができる。
【００１３】
ボトル１の口部１１は、図示省略したキャップが装着される円筒状の硬質部であり、図示の形態に限らず、外周にネジ部を形成したものなどであってもよい。
【００１４】
ボトル１の肩部１２は、口部１１より下側の部分であり、上方から下方に向かうに従って漸次拡径されている。肩部１２における上下方向の外郭形状は、図１に示すように内側に向けて凸状の湾曲形状であっても、それとは逆に外側に向けて凸状の湾曲形状であっても、直線形状であってもよい。
【００１５】
ボトル１における肩部１２の周方向には、口部１１に向けて山形に湾曲した稜線１０が設けられている。稜線１０の湾曲部分１０ａは、口部１１に向けて山形に湾曲したものであり、ここでは複数の（中心軸Ｏ周りに８つの）湾曲部分１０ａが連なって環状の稜線１０を形成している。一つの稜線１０は、一つの湾曲部分１０ａと他の湾曲部分１０ａとの繋がり部分において、胴部１３に向いた角部１０ｂを有している。一つの稜線１０における湾曲部分１０ａは、均等に複数設けられ、その数は６〜１２個の範囲で適宜設定することができる。肩部１２は、稜線１０を形成しているが、湾曲していることにより、内容液が口部へ流れ易くなる内面形状になり、残留量の増加を抑止することができる。
【００１６】
中心軸Ｏ周りに環状に設けられる稜線１０は、上下方向に一つ又は複数設けられる。図示の例では、稜線１０は複数設けられており、図３に示すように、４つの稜線１０によって、一つの溝部２０が形成されている。溝部２０は、稜線１０の湾曲部１０ａと角部１０ｂに沿った形状を有して中心軸Ｏ周りに環状に形成されている。
【００１７】
図３に示されるように、一つの溝部２０は、肩部１２の外郭面１２Ａから内側に向けて立ち上がる下壁部２０Ａと上壁部２０Ｂを有しており、下壁部２０Ａと上壁部２０Ｂの間に側壁部２０Ｃを有している。ここで、肩部１２の外郭面１２Ａに対する下壁部２０Ａの立ち上がり角θは、鈍角になるように形成されている。このように、立ち上がり角θを鈍角にすることで、肩部１２は、液溜まりを形成し難い内面形状になり、より残留量の増加を抑止することができる。
【００１８】
ボトル１の胴部１３は、中心軸Ｏに沿って略同径の円筒部分である。図示の例では、中心軸Ｏ周りに環状凹部１３Ａが設けられているが、特にこの形態に限定されるものではない。胴部１３にこのような環状凹部１３Ａを単数又は複数設けることで、ボトル内減圧時に胴部の変形を抑制し、横荷重に対する剛性を付与することができる。
【００１９】
ボトル１の底部１４は、外周に接地部１４Ａを有し、接地部１４Ａの内径側に中心軸Ｏに沿って内側に立ち上がる内周壁部１４Ｂを有する。そして、内周壁部１４Ｂの内径側には、減圧吸収機能を有する可動底壁部１４Ｃが設けられている。この例では、ボトル１の底部１４に減圧吸収機能を付与している。
【００２０】
このようなボトル１によると、肩部１２に設けた稜線１０の湾曲部分１０ａが、縦荷重に対してアーチ状に形成されているので、横方向のみならず、縦方向にも、剛性を付与することが可能となり、更に縦荷重に対しての座屈変形を抑制することができる。特に、稜線１０が口部１１に向けて山形に湾曲した湾曲部分１０ａを有して、胴部１３に向けて山形に湾曲する部分を有していないので、上方から口部１１に加わる縦荷重に対して高い変形抑制機能を得ることができる。また、稜線１０における一つの湾曲部分１０ａと、他の湾曲部分１０ａとの間が胴部１３に向いた角部１０ｂになっているので、角部１０ｂが補強構造となり、肩部１２の変形を抑えることができる。
【００２１】
また、肩部１２に設けた稜線１０によって溝部２０を形成することで、ボトル内減圧時には、溝部２０が肩部１２の内側への凹みを抑制してボトル１の形状を保持することが可能になる。
【００２２】
図４及び図５は、本発明の他の実施形態に係るボトル１を示している。前述した実施形態と共通する部位には同一符号を付して重複説明を省略する。この実施形態のボトル１は、肩部１２に設けた稜線１０によって、肩部１２に段差部２１が形成されている。一つの段差部２１は、中心軸Ｏ周りの２つの稜線１０によって形成されており、更に複数の稜線１０によって複数の段差部２１を形成することができる。
【００２３】
このような段差部２１を形成する稜線１０も、前述した実施形態と同様に口部１１に向けて山形に湾曲した湾曲部分１０ａを有しているので、前述した実施形態と同様に、縦荷重に対して高い変形抑制機能を得ることができ、また、段差部２１による補強構造で、ボトル内減圧時にも、肩部１２の内側への凹みを抑え、ボトル１の形状を保持することができる。
【００２４】
このようなボトル１によると、図５に示すように、段差部２１が形成されるので、ボトル１内の液体収容物は液溜まり無く肩部１２を通過して口部１１から吐出されることになり、縦荷重に対しての座屈変形抑制効果を得ながら、残液量の増加を抑止することができる。
【００２５】
以上説明したように、本発明の実施形態に係るボトル１は、肩部１２に設けた稜線１０の上向き湾曲形状によって、縦荷重に対して変形し難いボトルを得ることができる。また、従来から知られている胴部１３や底部１４に設ける減圧吸収構造に加えて、肩部１２においても稜線１０を組み合わせた溝部２０や段差部２１によって、効果的にボトル１の減圧時の肩部１２の変形を抑制することができる。更には、稜線１０が角部１０ｂを有することで、角部１０ｂが補強構造となり、肩部１２の変形を抑え、ボトル形状の保持が可能になる。
【００２６】
また、これらの効果に加えて、湾曲した稜線１０を形成すること、さらに稜線１０により形成した溝部２０の肩部１２の外郭面１２Ａに対する下壁部２０Ａの立ち上がり角θを鈍角にすること、或いは前述した段差部２１とすることで、肩部１２は、液溜まりを形成し難い内面形状になり、残液量の増加を抑止することができる。
【００２７】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００２８】
１：ボトル，
１０：稜線，１０ａ：湾曲部分，１０ｂ：角部，
１１：口部，
１２：肩部，１２Ａ：外郭面，
１３：胴部，１３Ａ：環状凹部，
１４：底部，１４Ａ：接地部，１４Ｂ：内周壁部，１４Ｃ：可動底壁部，
２０：溝部，２０Ａ：下壁部，２０Ｂ：上壁部，側壁部２０Ｃ，
２１：段差部，
Ｏ：中心軸，θ：立ち上がり角
【図１】
0006759540.tif 000002
【図２】
0006759540.tif 000003
【図３】
0006759540.tif 000004
【図４】
0006759540.tif 000005
【図５】
0006759540.tif 000006